(57)【要約】【課題】  機器本体内の省スペース化と機器全体の低価格化を可能とすること。【解決手段】  この電子機器１０は、操作パネル２を手前側に倒すことで操作パネル２を機器本体１から開きサブパネル３が露出した状態とし、そのサブパネル３に設けられた媒体挿入口４から、記憶媒体を挿入したり、取り出せるようにしている。そして、操作パネル２側に記憶媒体を媒体挿入口４から取り出すためのイジェクト用の操作部１２を配置し、サブパネル３の表面に操作部１２が操作されることによって連動して動作するイジェクト用のスイッチ部を配置している。【選択図】        図２
2005267750.tif 000002
【特許請求の範囲】
【請求項１】
操作パネルを手前側に倒すことで操作パネルを機器本体から開きサブパネルが露出した状態とし、そのサブパネルに設けられた媒体挿入口から、記憶媒体を挿入したり、取り出せるようにした電子機器において、
上記操作パネル側に上記記憶媒体を上記媒体挿入口から取り出すためのイジェクト用の操作部を配置し、上記サブパネルの表面に上記操作部が操作されることによって連動して動作するイジェクト用のスイッチ部を配置したことを特徴とする電子機器。
【請求項２】
前記イジェクト用のスイッチ部は、前記操作パネルで常時隠される位置に配置されていることを特徴とする請求項１記載の電子機器。
【請求項３】
前記イジェクト用の操作部は、前記操作パネルの左右の一方に配置されるスライド式でかつ前記スイッチ部から離れる方向に付勢されたツマミで構成されていることを特徴とする請求項２記載の電子機器。
【請求項４】
前記イジェクト用の操作部は、前記操作パネルを閉状態から開状態にする際に使用するリリースツマミと連動するように構成されていることを特徴とする請求項１記載の電子機器。
【請求項５】
操作パネルを機器本体に対し可動させることで上記操作パネルの背後に配置されたサブパネルを露出させ、その露出状態で所定の操作を行えるようにした電子機器において、
上記操作パネル側に上記所定の操作を行うための操作部を配置し、上記サブパネル側の表面に上記操作部が操作されることによって連動して動作するスイッチ部を配置したことを特徴とする電子機器。
【発明の詳細な説明】
【技術分野】
【０００１】
本発明は、電子機器に関する。
【背景技術】
【０００２】
電子機器としては、オーディオ装置、ビデオ装置、ナビゲーション装置等各種の装置が存在する。オーディオ装置の中には、操作パネルを手前側に倒すことでその操作パネルを機器本体から開くパネル可倒式の装置が存在する（特許文献１参照）。この種のオーディオ装置は、操作パネルを開いた状態でＣＤ（Compact Disc)やＭＤ（Mini Disc)等を媒体挿入開口等から挿入し演奏が可能となっているものが多い。
【０００３】
演奏が終わると、ＣＤ等を取り出すためのイジェクトボタンを押し、ＣＤ等を取り出す。ＣＤ等を取り出す際に操作するイジェクトボタンは、特許文献１に開示されているように、操作パネルの背後に配置されるサブパネル等の操作パネル装着部であって媒体挿入開口等の左横等に配置されることが多い。
【０００４】
【特許文献１】特開２００２−４２４５５（図１，図７，図９）
【発明の開示】
【発明が解決しようとする課題】
【０００５】
従来の電子機器では、所定の操作、たとえばイジェクト動作を行わせるためのボタンやつまみをサブパネルの表面に配置しているため、サブパネルの裏面に、その操作部材の操作をガイドする機構や操作結果を電気的に処理する際に必要とされるスイッチ部が組み込まれた大型のプリント基板を配置する必要が生じている。
【０００６】
一般的に操作パネルの部分には、各種の操作を行う際に必要となるプリント基板等が配置されている。このため、操作パネル部分以外にサブパネルの裏面に、操作部材のガイド機構やスイッチ部を含む大型のプリント基板を配置することは、機器本体側のスペースロスとなると共に価格アップの要因となっている。
【０００７】
本発明は、上述した課題を解決するためになされたものであり、機器本体内の省スペース化と機器全体の低価格化を可能とする電子機器を提供することを目的とする。
【課題を解決するための手段】
【０００８】
上述した課題を解決するため、本発明の電子機器は、操作パネルを手前側に倒すことで操作パネルを機器本体から開きサブパネルが露出した状態とし、そのサブパネルに設けられた媒体挿入口から、記憶媒体を挿入したり、取り出せるようにした電子機器において、操作パネル側に記憶媒体を媒体挿入口から取り出すためのイジェクト用の操作部を配置し、サブパネルの表面に操作部が操作されることによって連動して動作するイジェクト用のスイッチ部を配置している。
【０００９】
また、他の発明は、上述の発明の電子機器に加え、イジェクト用のスイッチ部は、操作パネルで常時隠される位置に配置されている。
【００１０】
また、イジェクト用の操作部は、操作パネルの左右の一方に配置されるスライド式でかつスイッチ部から離れる方向に付勢されたツマミで構成されているのが好ましい。
【００１１】
さらに、イジェクト用の操作部は、操作パネルを閉状態から開状態にする際に使用するリリースツマミと連動するように構成されているのが好ましい。
【００１２】
また、他の発明の電子機器は、操作パネルを機器本体に対し可動させることで操作パネルの背後に配置されたサブパネルを露出させ、その露出状態で所定の操作を行えるようにした電子機器において、操作パネル側に所定の操作を行うための操作部を配置し、サブパネル側の表面に操作部が操作されることによって連動して動作するスイッチ部を配置している。
【発明の効果】
【００１３】
本発明の電子機器によれば、機器本体の省スペース化が図られると共に低価格が達成される。
【発明を実施するための最良の形態】
【００１４】
以下、本発明の実施の形態に係る電子機器を図を参照しながら説明する。なお、この実施の形態に係る電子機器は、車載用のオーディオ装置１０である。
【００１５】
オーディオ装置１０は、図１に示されるように、機器本体１と、機器本体１の前面側に設けられた開閉自在な操作パネル２とから主に構成される。機器本体１の前面には、図２に示されるように、サブパネル３が配置されている。サブパネル３の上方には、記憶媒体としてのＣＤを挿入可能な媒体挿入口４が設けられ、下方であって右端側にはイジェクト用のスイッチ部５（図３参照）が設けられている。
【００１６】
操作パネル２は、機器本体１の下部を支点として手前側に倒されることで機器本体１のサブパネル３を露出させる。すなわち、ＣＤを媒体挿入口４に挿入し演奏させたいとき、操作パネル２を手前側に倒すことで操作パネル２が機器本体１から開き、サブパネル３が露出した状態となる。サブパネル２が露出した状態となることで、媒体挿入口４からＣＤを挿入したり取り出したりすることが可能となる。
【００１７】
操作パネル２には、裏蓋１１が存在する背面側であって開状態のときに右端手前側となる位置に、ＣＤを取り出すときに操作するイジェクト用の操作部となるツマミ１２が配置されている（図４参照）。ツマミ１２は、裏蓋１１に設けられた角形の開孔１３から突出し、図４の矢示ＸＹ方向にスライドできるようになっている。また、ツマミ１２は、スイッチ部５に伸びる作用部（図示省略）を有すると共にバネ部材（図示省略）によってスイッチ部５から離れる方向にバネ付勢されている。
【００１８】
サブパネル３は、機器本体１の一部を構成すると共に前面側を塞ぐものとなっている。スイッチ部５は、オンオフ動作するスイッチとなっており、ツマミ１２によって押されたとき、オンし、そのオン信号は機器本体１内の制御部に伝えられる。この実施の形態では、スイッチ部５のメカ機構部分はサブパネル３の表面側に配置され、スイッチ部５に電力を供給する電源線やオン信号を伝える信号線等は、サブパネル３の裏面側に配置されている。
【００１９】
次に、このように構成されたオーディオ装置１０の動作について述べる。
【００２０】
図１に示すように、操作パネル２が閉じられているときは、操作パネル２の表面が前面に現れる。使用者は、操作パネル２の前面に配置される各種のスイッチや操作部材を使用してオーディオ装置１０をＡＭラジオやＦＭラジオとして機能させる。使用者がＣＤを聴きたいと思ったときは、操作パネル２を開き、図２に示す状態とする。
【００２１】
図２に示す状態になると、ツマミ１２の作用部の先端は、スイッチ部５に対向することとなる。図２に示すように、操作パネル２が手前側に倒されると、サブパネル３が露出し、媒体挿入口４が露出する。使用者は、好みのＣＤをその媒体挿入口４に入れ演奏を楽しむ。演奏が終わる等によって、ＣＤを媒体挿入口４から取り出したいとき、使用者は、ツマミ１２を図４で矢示Ｘ方向にスライドさせる。すると、ツマミ１２の作用部がスイッチ部５を押す。スイッチ部５は、オンし、その信号を制御部へ送り、イジェクト動作が開始される。
【００２２】
使用者がツマミ１２をＸ方向にスライドさせた後、ツマミ１２から指を離すと、ツマミ１２はバネ部材の付勢力により矢示Ｙ方向にスライドし元の位置に復帰する。一方、イジェクト動作は、先のスイッチ部５からのオン信号により動作を開始すると共に、ツマミ１２が元の位置に復帰したとしてもイジェクトが完全に行われるまでその動作を継続する。
【００２３】
ＣＤが完全にイジェクトされると、使用者はそのＣＤを媒体挿入口４から抜き出すことが可能となる。以上のようにしてＣＤの演奏を楽しむ。ＣＤを楽しんだ後、再度ラジオを楽しみたいとき等では、操作パネル２を奥側に回転させ操作パネル２を閉じる。操作パネル２が閉じられることで、元の状態、すなわち図１に示す状態となる。
【００２４】
上述の実施の形態に係るオーディオ装置１０は、操作パネル２側にＣＤを媒体挿入口４から取り出すためのイジェクト用の操作部となるツマミ１２を配置し、サブパネル３の表面にツマミ１２が操作されることによって連動して動作するイジェクト用のスイッチ部５を配置しているので、機器本体１の省スペース化と機器全体の低価格化が達成される。特に、従来はサブパネル３の裏面にイジェクト用ツマミのプリント基板を配置する必要が生じていたが、この実施の形態では、ツマミ１２を操作パネル２に配置されるメインのプリント基板に配置できるので、サブパネル３の裏面には従来のようなプリント基板を配置しなくても良くなる。この結果、機器全体の低価格化が達成される。
【００２５】
また、この実施の形態では、操作パネル２を閉じた状態であっても、操作パネル２が開閉動作の途中であっても、さらに操作パネル２が開いた状態のときであっても、常に、スイッチ部５が操作パネル２によって隠されるような位置にスイッチ部５を配置している。すなわち、スイッチ部５は、操作パネル２によって常時隠される構成となっている。このため、スイッチ部５の誤操作やいたずら操作がなくなる。また、サブパネル３の露出面がすっきりすると共にサブパネル３の表面を他の用途に有効活用できることとなる。
【００２６】
さらに、この実施の形態では、操作部となるツマミ１２は、操作パネル２の右側に配置されるスライド式でかつスイッチ部５から離れる方向に付勢されるつまみとなっているので、使用者、特に右利きの使用者にとって操作しやすいものとなる。
【００２７】
以上、本発明の好適な実施例を示したが、本発明はこの実施の形態に限定されず、要旨を逸脱しない限り種々変更実施可能である。たとえば、図５に示すように、イジェクト用のツマミ１２を、操作パネル２を開ける際に使用するリリースツマミ２１と一体化させることで両者を連動させても良い。すなわち、図５に示す例では、ツマミ１２とリリースツマミ２１は一体化されており、操作パネル２の裏面側にツマミ１２が飛び出し表面側にリリースツマミ２１が飛び出している構造としている。この構成によって、閉じた状態のときにリリースツマミ２１を矢示方向にスライドさせることで操作パネル２が開き、操作パネル２が開いた状態のときにツマミ１２を矢示方向にスライドさせることで、ＣＤのイジェクト動作が行われることとなる。なお、ツマミ１２とリリースツマミ２１とを一体化させず、他の部材を介して両者が連動するようにしても良い。
【００２８】
上述の実施の形態では、操作パネル２に配置する操作部としてＣＤを取り出すイジェクト用のツマミ１２を示したが、ＭＤやＤＶＤを取り出すつまみとしても良い。さらには、サブパネル３にフラッシュメモリ等の記憶媒体や通信用のカードを入れる開口を設けた場合には、記憶媒体やカードを取り出すためのイジェクト用のつまみを操作パネル２に配置するようにしても良い。また、イジェクト用の操作部ではなく、録音や再生時のスイッチを操作部としたり、サブパネル３に表示部を設けた場合の表示スイッチを操作部としたりしても良い。
【００２９】
また、上述の実施の形態では操作パネル２を回動させ倒す形式のものを示したが、操作パネル２を持ち上げるタイプや、操作パネル２を一旦取り外した後に機器本体１に固定するタイプのものには本発明を適用することができる。
【００３０】
また、スイッチ部５の接続線等を機器本体１内に配置するのではなく、サブパネル３の表面に配線し、操作パネル２内のプリント基板に接続するようにしても良い。さらに、特許文献１記載のイジェクトボタンをサブパネル３の表面側であって、スイッチ部５の位置に配置し、ツマミ１２によってオンオフ動作するようにしても良い。この場合でも、サブパネル３の露出表面がすっきりする効果は発生する。
【００３１】
また、スイッチ部５の位置としては、操作パネル２によって常時隠されるためにはサブパネル３の下方が好ましいが、サブパネル３が露出したとき、スイッチ部５も露出する位置としても良い。また、ツマミ１２の位置としては、操作パネル２を開いたとき、手前側の左右のいずれか一方とするのが、扱いやすさも考えると好ましいが、操作パネルを開いたとき奥側に配置したり、手前側の中央に配置しても良い。さらに、ツマミ１２を１つではなく２つ配置し、右利きの人、左利きの人、いずれの人にとっても扱いやすいようにしても良い。
【００３２】
また、本発明は、オーディオ装置以外にビデオディスク装置等のビジュアル装置、道を案内するナビゲーション装置等、他の電子機器に適用できる。すなわち、操作パネルを機器本体に対し可動させることで、操作パネルの背後に配置されたサブパネルを露出させ、その露出状態で所定の操作を行えるようにした電子機器全てに本発明を適用することができる。
【図面の簡単な説明】
【００３３】
【図１】本発明の実施の形態に係る電子機器としてのオーディオ装置の斜視図である。
【図２】図１のオーディオ装置の操作パネルを開いた状態の斜視図である。
【図３】図１のオーディオ装置の操作パネルを省略した状態の部分斜視図である。
【図４】図２の矢示Ａで示される部分の拡大図である。
【図５】本発明の実施の形態に係る電子機器の操作部の変形例を示す図で、（Ａ）は要部斜視図で、（Ｂ）は要部側面図である。
【符号の説明】
【００３４】
１  機器本体
２  操作パネル
３  サブパネル
４  媒体挿入口
５  スイッチ部
１１  裏蓋
１２  ツマミ（操作部）
１３  開口
【図１】
2005267750.tif 000003
【図２】
2005267750.tif 000004
【図３】
2005267750.tif 000005
【図４】
2005267750.tif 000006
【図５】
2005267750.tif 000007